(57)【特許請求の範囲】
【請求項１】
画像形成装置であって、
出力するデータを受信する受信手段と、
金銭の支払いを認識する認識手段と、
前記認識手段により金銭が支払われたことが認識されると、支払われた金銭額に拘わらず、前記受信手段によるデータの受信を受け付けない状態からデータの受信を受け付ける状態にする制御手段と、
を有することを特徴とする画像形成装置。
【請求項２】
請求項１に記載の画像形成装置において、
前記受信手段により受信したデータを出力する出力手段と、
前記受信手段により受信したデータを出力するために必要な金銭額を算出する算出手段を有し、
前記出力手段は、前記算出手段により算出された金銭額と、支払われた金銭額とに応じて、前記データを出力することを特徴とする画像形成装置。
【請求項３】
請求項２に記載の画像形成装置において、
前記出力手段は、前記算出手段により算出された金銭額に、支払われた金銭額が足りなければ、前記データの出力を中断することを特徴とする画像形成装置。
【請求項４】
請求項３に記載の画像形成装置において、
前記出力手段は、前記算出手段により算出された金銭額に、支払われた金銭額が足りれば、前記中断した出力を開始することを特徴とする画像形成装置。
【請求項５】
請求項２に記載の画像形成装置において、
前記算出手段は、前記受信手段により受信されたデータに含まれる情報に基づいて、前記算出を行うことを特徴とする画像形成装置。
【請求項６】
請求項５に記載の画像形成装置において、
前記情報は、白黒かカラーかの出力モードを示す情報、出力する用紙サイズを示す情報、出力する解像度を示す情報、片面か両面かの出力モードを示す情報の少なくとも１つを含むことを特徴とする画像形成装置。
【請求項７】
画像形成装置の制御方法であって、
出力するデータを受信する受信工程と、
金銭の支払いを認識する認識工程と、
前記認識工程において金銭が支払われたことが認識されると、支払われた金銭額に拘わらず、前記受信におけるデータの受信を受け付けない状態からデータの受信を受け付ける状態にする制御工程と、
を有することを特徴とする画像形成装置の制御方法。
【請求項８】
請求項７に記載の制御方法において、
前記受信工程において受信したデータを出力する出力工程と、
前記受信工程において受信したデータを出力するために必要な金銭額を算出する算出工程を有し、
前記出力工程では、前記算出工程において算出された金銭額と、支払われた金銭額とに応じて、前記データを出力することを特徴とする画像形成装置の制御方法。
【請求項９】
請求項８に記載の制御方法において、
前記出力工程は、前記算出工程において算出された金銭額に、支払われた金銭額が足りなければ、前記データの出力を中断することを特徴とする画像形成装置の制御方法。
【請求項１０】
請求項９に記載の制御方法において、
前記出力工程は、前記算出工程において算出された金銭額に、支払われた金銭額が足りれば、前記中断した出力を開始することを特徴とする画像形成装置の制御方法。
【請求項１１】
請求項１０に記載の制御方法において、
前記算出工程は、前記受信工程において受信されたデータに含まれる情報に基づいて、前記算出を行うことを特徴とする画像形成装置の制御方法。
【請求項１２】
請求項１１に記載の制御方法において、
前記情報は、白黒かカラーかの出力モードを示す情報、出力する用紙サイズを示す情報、出力する解像度を示す情報、片面か両面かの出力モードを示す情報の少なくとも１つを含むことを特徴とする画像形成装置の制御方法。
【請求項１３】
請求項１〜６のいずれか１項に記載の画像形成装置の各手段としてコンピュータを機能させるための、コンピュータにより実行されるプログラム。
【発明の詳細な説明】
【０００１】
【発明の属する技術分野】
本発明は、画像形成装置、特に金銭の支払いを認識することができる画像形成装置およびその制御方法に関するものである。
【０００２】
【従来の技術】
複写機のデジタル化に伴い、複写機のスキャナ機能、プリンタ機能等を利用してファクシミリ送受信を行うファクシミリ機能、ＰＤＬ（Page Description Language ）プリンタ機能等、複数の機能を併せ持つ複合機が実用されてきている。この種の複合機は、複写機機能、ファクシミリ機能あるいはＰＤＬプリント機能等の単機能だけでなく、たとえばＰＤＬ展開画像をファクシミリ送信するなどの複数の機能間でも動作可能となるように構成されている。さらに、複合機をＬＡＮ経由で接続することにより、コンピュータ装置等でも複合機の機能を利用可能にする。
【０００３】
また、コピー機では、コピーされた画像の用紙サイズ、用紙種類、用紙枚数あるいはカラー／白黒等に対して課金処理を施す機能を備えた装置が実用化されている。このコピー機においては、十分なコインが投入されている、いないに拘わらずにユーザがコピーの設定を行うことができ、その設定に従って実際にコピーを実行する段階になってコインが足りなければコピー動作を開始しない、または中断するといった制御を行っている。
【０００４】
【発明が解決しようとする課題】
同じ形式でコイン投入型の課金システムをＰＤＬプリンタやＰＤＬプリンタ機能を有する複合機に適用すると、以下のような問題がある。
コイン投入前に、コンピュータから印刷データを送ることができてしまうと、コインが投入されるまでその装置を他のユーザが使用できなくなってしまう。
また、その装置を利用したい他のユーザがいない場合も、コインが投入されるまで受信したデータをいつまでも記憶しておかなければならない。これは、メモリの大容量化につながり、コストを増大させる原因になる。また、データの消去のタイミング制御等も行なわなければならず、制御が複雑になってしまう。
【０００５】
また、コピーの場合は、必要な金銭額が支払われないと原稿の読み取りを行わないが、ＰＤＬプリンタ機能の場合はデータを受信し、そのデータを解析するまで、必要な金銭額がわからない。そのため複数ぺージのデータを一度に受信した場合は、既に受信したデータをすべて印刷する前に、ユーザにより支払われた金銭が足りなくなることもあり得る。しかし、従来のコピー機に使用してコイン投入型の課金システムでは、このような状況は想定されていない。
【０００６】
本発明はかかる実情に鑑み、適正かつ効率的に制御可能で、特にコインロボ等の料金の支払いを認識することができるプリンタ機能を有する画像形成装置およびその制御方法を提供することを目的とする。
【０００７】
【課題を解決するための手段】
本発明の画像形成装置は、出力するデータを受信する受信手段と、金銭の支払いを認識する認識手段と、前記認識手段により金銭が支払われたことが認識されると、支払われた金銭額に拘わらず、前記受信手段によるデータの受信を受け付けない状態からデータの受信を受け付ける状態にする制御手段と、を有することを特徴とする。
【０００８】
また、本発明の画像形成装置において、前記受信手段により受信したデータを出力する出力手段と、前記受信手段により受信したデータを出力するために必要な金銭額を算出する算出手段を有し、前記出力手段は、前記算出手段により算出された金銭額と、支払われた金銭額とに応じて、前記データを出力することを特徴とする。
【０００９】
また、本発明の画像形成装置において、前記出力手段は、前記算出手段により算出された金銭額に、支払われた金銭額が足りなければ、前記データの出力を中断することを特徴とする。
【００１０】
また、本発明の画像形成装置において、前記出力手段は、前記算出手段により算出された金銭額に、支払われた金銭額が足りれば、前記中断した出力を開始することを特徴とする。
【００１１】
また、本発明の画像形成装置において、前記算出手段は、前記受信手段により受信されたデータに含まれる情報に基づいて、前記算出を行うことを特徴とする。
【００１２】
また、本発明の画像形成装置において、前記情報は、白黒かカラーかの出力モードを示す情報、出力する用紙サイズを示す情報、出力する解像度を示す情報、片面か両面かの出力モードを示す情報の少なくとも１つを含むことを特徴とする。
【００１４】
また、本発明の画像形成装置の制御方法は、出力するデータを受信する受信工程と、  金銭の支払いを認識する認識工程と、前記認識工程において金銭が支払われたことが認識されると、支払われた金銭額に拘わらず、前記受信におけるデータの受信を受け付けない状態からデータの受信を受け付ける状態にする制御工程と、を有することを特徴とする。
【００１５】
また、本発明の画像形成装置の制御方法において、前記受信工程において受信したデータを出力する出力工程と、前記受信工程において受信したデータを出力するために必要な金銭額を算出する算出工程を有し、前記出力工程では、前記算出工程において算出された金銭額と、支払われた金銭額とに応じて、前記データを出力することを特徴とする。
【００１６】
また、本発明の画像形成装置の制御方法において、前記出力工程は、前記算出工程において算出された金銭額に、支払われた金銭額が足りなければ、前記データの出力を中断することを特徴とする。
【００１７】
また、本発明の画像形成装置の制御方法において、前記出力工程は、前記算出工程において算出された金銭額に、支払われた金銭額が足りれば、前記中断した出力を開始することを特徴とする。
【００１８】
また、本発明の画像形成装置の制御方法において、前記算出工程は、前記受信工程において受信されたデータに含まれる情報に基づいて、前記算出を行うことを特徴とする。
【００１９】
また、本発明の画像形成装置の制御方法において、前記情報は、白黒かカラーかの出力モードを示す情報、出力する用紙サイズを示す情報、出力する解像度を示す情報、片面か両面かの出力モードを示す情報の少なくとも１つを含むことを特徴とする。
【００２５】
また、本発明のプログラムは、上記いずれかの画像形成装置の各手段としてコンピュータを機能させるための、コンピュータにより実行されるプログラムである。
【００２６】
【発明の実施の形態】
以下、図面に基づき、本発明の好適な実施の形態を説明する。
図１は、本発明の実施形態における画像形成装置の構成を示すブロック図である。図において、リーダ部１は原稿の画像を読み取り、原稿画像に応じた画像データをプリンタ部２および画像入出力制御部３へ出力する。プリンタ部２は、リーダ部１および画像入出力制御部３からの画像データに応じた画像を記録紙上に記録する。画像入出力制御部３はリーダ部１に接続されており、ファクシミリ部４、ファイル部５、ネットワーク用のコンピュータインタフェース部７、フォーマッタ部８、ブロックセレクション部９およびコア部１０などを含む。
【００２７】
ファクシミリ部４は、電話回線１３を介して受信した圧縮画像データを伸長して、伸長された画像データをコア部１０へ転送する。またコア部１０から転送された画像データを圧縮して、圧縮された圧縮画像データを電話回線１３を介して送信する。ファクシミリ部４にはハードディスク１１が接続されており、受信した圧縮画像データを一時的に保存することができる。
【００２８】
ファイル部５には外部記憶装置、すなわち光磁気ディスクドライブユニット６が接続されている。ファイル部５はコア部１０から転送された画像データを圧縮し、その画像データを検索するためのキーワードとともに光磁気ディスクドライブユニット６にセツトされた光磁気ディスクに記憶させる。また、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。
【００２９】
コンピュータインタフェース部７は、パーソナルコンピュータあるいはワークステーション（ＰＣ／ＷＳ）１２とコア部１０の間のインタフェースであり、シリアルなどの基本インタフェースからＬＡＮまでサポートする。なお、ネットワーク機能としては、シリアル（ＳＬＩＰ）やＬＡＮ（Local  Area  Network）のまでサポートする。なお、ネットワーク機能としては、ＳＬＩＰやＬＡＮ上でＮｅｔｗａｒｅ，ＴＣＰ／ＩＰ，Ｅｔｈｅｒ  Ｔａｌｋ等のプロトコルをサポートし、ＮＦＳ等の上位レイヤのサービスもサポートする。
【００３０】
フォーマッタ部８はＰＣ／ＷＳ１２から転送された画像を表すコードデータをプリンタ部２で記録することができる画像データに展開するものである。
ブロックセレクション部９は画像データを蓄積し、その蓄積した画像データを分析して、テキスト部とイメージ部に分類し、分類されたデータとそのレイアウト情報を関連付けて管理する。
【００３１】
コア部１０については後述するが、コア部１０はリーダ部１、ファクシミリ部４、ファイル部５、ネットワーク・インタフェース部７、フォーマッタ部８、イメージメモリ部９、コインロボ部１４のそれぞれの間のデータの流れを制御する。
【００３２】
コインロボ部１４は、ユーザにより投入されたコインの料金をコア部１０に通知する。なお、コインロボ部１４が白黒／カラーの料金を管理している場合には、コア部１０に対して白黒／カラー印刷が可能かどうか、または白黒／カラー印刷それぞれの可能印刷枚数をコア部１０に通知するようにしてもよい。コア部１０はコインロボ部１４からの通知を受けてから画面を立ち上げたり、印刷動作を実施する。
【００３３】
図２は、リーダ部１およびプリンタ部２の構成を示す断面図である。リーダ部１の原稿給送装置１０１は原稿を最終頁から順に１枚ずつプラテンガラス１０２上へ給送する。原稿の読取り動作終了後、プラテンガラス１０２上の原稿を排出する。原稿がプラテンガラス１０２上に搬送されると、ランプ１０３が点灯し、そしてスキャナユニット１０４の移動を開始させて、原稿を露光走査する。このときの原稿からの反射光は、ミラー１０５，１０６，１０７およびレンズ１０８によってＣＣＤイメージセンサ（以下、ＣＣＤという）１０９へ導かれる。
【００３４】
このように走査された原稿の画像はＣＣＤ１０９によって読み取られ、ＣＣＤ１０９から出力される画像データは、所定の処理が施された後、プリンタ部２および画像入出力制御部３のコア部１０へ転送される。
【００３５】
プリンタ部２のレーザドライバ２２１はレーザ発光部２０１を駆動するものであり、リーダ部１から出力された画像データに応じたレーザ光を、レーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４およびカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記像紙に定着される。
【００３６】
定着部２０７を通過した記録紙は排出ローラ２０８によって排出され、ソータ２２０は排出された記録紙をそれぞれのビンに収納して記録紙の仕分けを行う。なお、ソータ２２０は仕分けが設定されていない場合は最上ビンに記録紙を収納する。また、両面記録が設定されている場合は、排出ローラ２０８まで記録紙を搬送した後、排出ローラ２０８の回転方向を逆転させ、フラッパ２０９によって再給紙搬送路２１０へ導く。多重記録が設定されている場合には、記録紙を排出ローラ２０８まで搬送しないようにフラッパ２０９によって再給紙搬送路２１０へ導く。再給紙搬送路２１０へ導かれた記録紙は、上述したタイミングで転写部２０６へ給紙される。
【００３７】
図３は、リーダ部１の構成例を示すブロック図である。図３において、ＣＣＤ１０９から出力された画像データは、Ａ／Ｄ・ＳＨ部１１０でアナログ／デジタル変換されるとともに、シェーディング補正が行われる。Ａ／Ｄ・ＳＨ部１１０によって処理された画像データは、画像処理部１１１を介してプリンタ部２へ転送されるとともに、インターフェイス部１１３を介して画像入出力制御部３のコア部１０へ転送される。
【００３８】
ＣＰＵ１１４は操作部１１５で設定された設定内容に応じて画像処理部１１１およびインターフェイス１１３を制御する。たとえば操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェイス１１３から画像データと、設定されたモードに応じた制御コマンドとをコア部１０へ転送させる。このようなＣＰＵ１１４の制御プログラムはメモリ１１６に記憶されており、ＣＰＵ１１４はこのメモリ１１６を参照しながら制御を行う。また、メモリ１１６はＣＰＵ１１４の作業領域としても使われる。
【００３９】
図４は、コア部１０の構成例を示すブロック図である。図４において、リーダ部１からの画像データはインターフェイス１２２を介してデータ処理部１２１へ転送される。また、リーダ部１からの制御コマンドはインターフェイス１２２を介してＣＰＵ１２３へ転送される。データ処理部１２１は画像の回転処理や変倍処理などの画像処理を行う。リーダ部１からデータ処理部１２１へ転送された画像データは、リーダ部１から転送された制御コマンドに応じて、インターフェイス１２０を介してファクシミリ部４、ファイル部５、コンピュータインタフェース部７へ転送される。
【００４０】
また、コンピュータインタフェ一ス部７を介して入力された画像を表すコードデータは、データ処理部１２１に転送された後フォーマッタ部８へ転送されて画像データに展開される。この画像データはデータ処理部１２１に転送された後、ファクシミリ部４やプリンタ部２へ転送される。ファクシミリ部４からの画像データは、データ処理部１２１へ転送された後、プリンタ部２やファイル部５、コンピュータインタフェース部７へ転送される。また、ファイル部５からの画像データは、データ処理部１２１へ転送された後、プリンタ部やファクシミリ部４、コンピュータインタフェース部７へ転送される。
また、コインロボ部１４からの情報は、インタフェース１２５を介してＣＰＵ１２３へ転送される。
【００４１】
ＣＰＵ１２３はメモリ１２４に記憶されている制御プログラムおよびリーダ部１から転送された制御コマンドに従って、このような制御を行う。また、メモリ１２４はＣＰＵ１２３の作業領域としても使われる。このようにコア部１０を中心にして原稿画像の読取り、画像のプリント、画像の送受信、画像の保存、コンピュータからのデータの入出力などの機能を複合させた処理を行うことが可能である。
【００４２】
つぎに図５は、本実施形態における画像形成装置の課金システムのフローを示している。
図５のステップＳ５０１において、電源投入時にコア部１０のもとで通常のコピー立上げ動作を実施する。フォーマッタ部８（ＰＤＬ）に対しては、初期化処理を実施するが、ＰＣ／ＷＳ１２からのＰＤＬ（Page  Description Language）データ受付可能なモードまで移行せず、プリント待機中として、ＰＤＬデータを受け付けない状態でとめる。
【００４３】
なお、ＰＤＬデータは、図６に示すよな論理構造になっている。図６において６０１はヘッダ部であり、記述言語（ＬＩＰＳ）、用紙サイズ、片面／両面等の出力モード、印刷部数等の設定に関する情報を示す。６０２はヘッダ部６０１に示された記述言語で書かれた印刷データを示す。なお、印刷データ６０２には、複数ぺージ分のデータが書かれている場合もある。
【００４４】
図５に戻り、ステップＳ５０２において、すべてのセットアップが完了した時点で、操作部１１５でコイン投入画面を表示する。
ステップＳ５０３において、コインロボ部１４にコインが投入されればステップＳ５０４へ進み、投入されなければステップＳ５０３に戻る。なお、スッテプＳ５０３では、印刷に必要なコインの枚数（料金）を判断するのではなく、コインが投入されたかどうかを判断している。これは、印刷をしよとしているユーザが複合機のそばにいることを判断するために行っている。したがって、ステップＳ５０３でコインが投入された場合はユーザが近くにいるものとみなしてステップＳ５０４以降の処理を行うことになる。
【００４５】
ステップＳ５０４において、コア部１０は、コインロボ部１４からのコイン投入の通知を受けて、プリントレディ信号をＯＮにする。この信号を受けてフォーマッタ部８（ＰＤＬ）を、ＰＤＬデータ受付け可能とする。
ステップＳ５０５において、ＰＣ／ＷＳ１２の操作、もしくは操作部１１５の操作により、ＰＣ／ＷＳ１２からＰＤＬデータをコンピュータインタフェース部７経由でフォーマッタ部８に転送し、実際に展開する。そしてヘッダ部６０１を解釈することにより出力モード（白黒／カラー、用紙サイズ、解像度および片面／両面等）を明らかにしてコア部１０に通知する。
【００４６】
ステップＳ５０６において、ステップＳ５０５で確定した出力モードに基づいて、コピーの課金と同じ方法で一枚目の印刷に必要な料金の算出を実施する。コインロボ部１４に投入されている金額が足りていればステップＳ５０７へ、足りていなければステップＳ５０２へ戻る。
【００４７】
ステップＳ５０７において、フォーマッタ部８から印刷データをコア部１０に渡し、実際に印刷を実行し、ステップおいて、コインロボ部１４に投入された料金から印刷した料金を差しの課金処理を行う。
スッテプＳ５０９では、ステップＳ５０５で展開したデータで印刷していないぺージがあるかを判断し、すべてのぺージの印刷が終了していれば処理を終了する。印刷するぺージがある場合は、ステップＳ５０６に戻り、ステップＳ５０６、ステップＳ５０７、ステップＳ５０８で残りのぺ一ジの印刷を行う。
【００４８】
ここで、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４９】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００５０】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００５１】
さらに、供給されたプログラムコードがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００５２】
【発明の効果】
以上説明したように本発明にれば、コピー課金のシステムをプリンタ機能を有する画像形成装置に有効に適用することができる。特に金額不足時は、実績のあるコピーのロジックを流用することができ、ユーザにとっても極めて高い親和性を確保することができる。また、支払われた金銭額に拘わらず、金銭が支払われたことを認識することによりユーザが装置のそばにいることを認識するので、最適なタイミングでのデータの受信制御を行える。さらに、支払われた金銭額が足りない場合には、それが仮に既に受信してしまったデータの出力でも、途中で中断することができる。
【図面の簡単な説明】
【図１】本発明の実施形態における画像処理装置のブロック図である。
【図２】本発明の実施形態におけるリーダ部およびプリンタ部の断面図である。
【図３】本発明の実施形態におけるリーダ部のブロック図である。
【図４】本発明の実施形態におけるコア部のブロック図である。
【図５】本発明の実施形態における課金システムの動作例を示すフローチャート図である。
【図６】本発明の実施形態におけるＰＤＬの論理構造を示す図である。
【符号の説明】
１    リーダ部
２    プリンタ部
３    画像入出力制御部
４    ファクシミリ部
５    ファイル部
７    コンピュータインタフェース部
８    フォーマッタ部
９    ブロックセレクション部、
１０    コア部
１１    ハードディスク部
１２    ＰＣ／ＷＳ部
１４    コインロボ部
１０１    原稿給送装置
１０２    プラテンガラス
１０３    ランプ
１０４    スキャナユニット
１０５，１０６，１０７    ミラー
１０９    ＣＣＤ
１１０    Ａ／Ｄ・ＳＨ部
１１１    画像処理部
１１３    インターフェイス
１１４    ＣＰＵ
１１５    操作部
１１６    メモリ
１２１    データ処理部
１２３    ＣＰＵ
１２４    メモリ
２０１    レーザ発光部
２０２    感光ドラム
２０３    現像器
２０４，２０５    カセット
２０６    転写部
２０７    定着部
２０８    排出ローラ
２０９    フラッパ
２１０    再給紙搬送路
２２０    ソータ
２２１    レーザドライバ
【図１】
0004508445.tif 000002
【図２】
0004508445.tif 000003
【図３】
0004508445.tif 000004
【図４】
0004508445.tif 000005
【図５】
0004508445.tif 000006
【図６】
0004508445.tif 000007